(57)【要約】【課題】ガスケットを設けることなく、透明電位膜を接地することができるフレキシブルケーブル、オープンセルおよび表示装置を提供する。【解決手段】ＣＯＦ４０（フレキシブルケーブル）は、液晶パネル２０の駆動に用いられる信号を伝達する信号配線４３ａと、液晶パネル２０の静電気放電を行う透明電位膜２２に接続する接地端子４５を備える接地配線４４ａと、信号配線４３ａおよび接地配線４４ａが形成されるシート状の本体部４１ａとを備える。【選択図】図２Ａ
2014206604.tif 000002
【特許請求の範囲】
【請求項１】
液晶パネルの駆動に用いられる信号を伝達する信号配線と、
前記液晶パネルの静電気放電を行う透明電位膜に接続する接地端子を備える接地配線と、
前記信号配線および前記接地配線が形成されるシート状の本体部とを備える
フレキシブルケーブル。
【請求項２】
前記本体部は、複数のスプロケットホールが形成されているスプロケット領域と、前記信号配線が形成される信号配線領域とを備える長尺状シートを用いて作製され、
前記接地配線は、前記スプロケット領域に配置される
請求項１に記載のフレキシブルケーブル。
【請求項３】
前記接地配線が形成される接地配線領域は、前記スプロケット領域の一部に設定される
請求項２に記載のフレキシブルケーブル。
【請求項４】
前記本体部は、第一の長方形状のシートであり、かつ、長辺および短辺の長さが前記第一の長方形状のシートの長辺および短辺の長さより短い第二の長方形状の切り欠き部を有する
請求項１〜３の何れか１項に記載のフレキシブルケーブル。
【請求項５】
前記本体部は、
前記信号配線が形成される長方形状の信号配線領域と、
前記接地配線が形成される、長辺の長さが前記信号配線の短辺よりも長い長方形状の２つの接地配線領域とを備え、
前記信号配線領域の短辺のそれぞれに、前記２つの接地配線領域それぞれの長辺が重なるように配置されている
請求項１〜４の何れか１項に記載のフレキシブルケーブル。
【請求項６】
前記本体部は、
前記信号配線が形成される長方形状の信号配線領域と、
前記接地配線が形成される、長辺の長さが前記信号配線の短辺よりも長い長方形状の接地配線領域とを備え、
前記信号配線領域の短辺に、前記接地配線領域の長辺が重なるように配置されている
請求項１〜４の何れか１項に記載のフレキシブルケーブル。
【請求項７】
前記接地配線は、網目状の配線である
請求項１〜６の何れか１項に記載のフレキシブルケーブル。
【請求項８】
前記本体部は、さらに、前記液晶パネルを駆動する駆動信号を出力する駆動回路を備える
請求項１〜７の何れか１項に記載のフレキシブルケーブル。
【請求項９】
偏光板と、ガラス基板と、前記偏光板および前記ガラス基板の間に設けられた透明電位膜とを備える液晶パネルと、
前記液晶パネルの駆動に用いられる信号を伝達する信号配線と、前記透明電位膜に接続する接地端子を備える接地配線と、前記信号配線および前記接地配線が形成されるシート状の本体部とを有するフレキシブルケーブルとを備える
オープンセル。
【請求項１０】
偏光板と、ガラス基板と、前記偏光板および前記ガラス基板の間に設けられた透明電位膜とを備える液晶パネルと、
前記液晶パネルの駆動に用いられる信号を伝達する信号配線と、前記透明電位膜に接続する接地端子を備える接地配線と、前記信号配線および前記接地配線が形成されるシート状の本体部とを有するフレキシブルケーブルと、
前記接地配線と電源回路とを接続する配線を備えるプリント基板と、
前記液晶パネルの外枠を構成するベゼルと、
前記ベゼルの前記液晶パネル側に取り付けられ、前記フレキシブルケーブルの前記接地配線の端子を前記透明電位膜に押さえるセルクッションとを備える
表示装置。
【発明の詳細な説明】
【技術分野】
【０００１】
本発明は、液晶パネルと制御回路とを接続するフレキシブルケーブル、当該フレキシブルケーブルを備えたオープンセルおよび表示装置に関する。
【背景技術】
【０００２】
液晶ディスプレイは、一般的に、液晶パネル、ＬＥＤ（Ｌｉｇｈｔ  Ｅｍｉｔｔｉｎｇ  Ｄｉｏｄｅ）等の光源、制御回路および電源回路等を備えて構成されている。
【０００３】
液晶パネルは、例えば、フロントキャビネット側（製品の状態において利用者が視聴する側）から、第一の偏光板、ＣＦ（Ｃｏｌｏｒ  Ｆｉｌｔｅｒ、カラーフィルター）を含む第一のガラス基板、液晶層、配線およびＴＦＴ回路等を含む第二のガラス基板、第二の偏光板等を備えて構成されている。
【０００４】
ここで、特に、ＩＰＳ（Ｉｎ  Ｐｌａｎｅ  Ｓｗｉｔｃｈｉｎｇ）方式の液晶パネルでは、ＥＳＤ（Ｅｌｅｃｔｒｏ−Ｓｔａｔｉｃ  Ｄｉｓｃｈａｒｇｅ、静電気放電）から半導体素子を保護する必要がある。このため、ＩＰＳ方式の液晶パネルでは、一般的に、第一の偏光板と第一のガラス基板との間に、透明電位膜を設け、当該透明電位膜を接地して静電気を放電する構成としている。
【０００５】
図９は、液晶パネルの構成のうち、透明電位膜を接地する構成の一例を示す図である。なお、図９は、液晶ディスプレイのフロントキャビネット側から見た図である。
【０００６】
図９に示すように、液晶ディスプレイ１０００は、液晶パネル２０と、ＰＣＢ（Ｐｒｉｎｔｅｄ  Ｃｉｒｃｕｉｔ  Ｂｏａｒｄ、プリント基板）３０と、ガスケット２４と、ＣＯＦ（Ｃｈｉｐ  ｏｎ  Ｆｉｌｍ、Ｃｈｉｐ  ｏｎ  Ｆｌｅｘｉｂｌｅ）５０とを備えている。
【０００７】
液晶パネル２０は、上述したように、第一の偏光板２３、透明電位膜２２、第一のガラス基板２１、液晶層（不図示）、第二のガラス基板（不図示）および第二の偏光板（不図示）等を備えている。
【０００８】
ＰＣＢ６０は、液晶パネル２０のリアフレーム（不図示）側に設けられた制御回路からの信号をＣＯＦ５０のＩＣ５２に伝達する基板である。
【０００９】
ガスケット２４は、透明電位膜２２を板金で形成されたベゼル（不図示）に接続する部材である。ガスケット２４およびベゼルを介して透明電位膜２２の電荷（静電気等）を放電させることにより、透明電位膜２２を接地している。
【００１０】
ＣＯＦ５０は、ＰＣＢ６０からの信号に応じた駆動信号を出力するＩＣ（Ｉｎｔｅｇｒａｔｅｄ  Ｃｉｒｃｕｉｔ、駆動回路）５２が実装されたフレキシブルケーブル５１で構成されている（例えば、特許文献１参照）。
【先行技術文献】
【特許文献】
【００１１】
【特許文献１】特開２０１２−２３０２０２号公報
【発明の概要】
【発明が解決しようとする課題】
【００１２】
しかしながら、図９に示す液晶ディスプレイ１０００では、ガスケット２４を設ける位置に制約があり、ガスケット２４の位置調整が難しいという問題がある。
【００１３】
また、ベゼルの表面の加工の方法によっては、抵抗値が高くなり、透明電位膜２２を十分に接地できない場合があり、ベゼルの表面の加工の方法が制限されるという問題がある。
【００１４】
さらに、近年、板金のベゼルを樹脂製のベゼルに置き換える傾向があるため、ベゼルを介した接地が困難となっている。
【００１５】
本発明は上述の課題を解決するためになされたものであり、ガスケットを設けることなく、透明電位膜を接地することができるフレキシブルケーブル、オープンセルおよび表示装置を提供することを目的とする。
【課題を解決するための手段】
【００１６】
上記目的を達成するために、本発明の一態様に係るフレキシブルケーブルは、液晶パネルの駆動に用いられる信号を伝達する信号配線と、前記液晶パネルの静電気放電を行う透明電位膜に接続する接地端子を備える接地配線と、前記信号配線および前記接地配線が形成されるシート状の本体部とを備える。
【００１７】
上記構成のフレキシブルケーブルは、一般的に備えられている駆動信号を出力する信号配線に加え、透明電位膜を接地するための接地配線を一体に備える。これにより、透明電位膜を接地するためのガスケットは必要なくなる。ガスケットのための位置調整が必要なくなるため、製造工程数の低減および製造コストの低減を図ることが可能になる。
【００１８】
また、前記本体部は、複数のスプロケットホールが形成されているスプロケット領域と、前記信号配線が形成される信号配線領域とを備える長尺状シートを用いて作製され、前記接地配線は、前記スプロケット領域に配置されても良い。
【００１９】
上記構成のフレキシブルケーブルは、スプロケットホールを利用して接地配線を設けるので、製造コストの増大を押さえることができる。より詳細には、フレキシブルケーブルの材料となる長尺状のシートに形成されたスプロケットホールは、従来は、製造工程において、切り落とされる部分であり、活用されていなかった。上記構成のフレキシブルケーブルでは、この部分を活用することで、接地配線のための特別なシートを必要とせず、廃棄部分の削減等、製造コストの増大を押さえることができる。
【００２０】
また、前記接地配線が形成される接地配線領域は、前記スプロケット領域の一部に設定されても良い。
【００２１】
また、前記本体部は、第一の長方形状のシートであり、かつ、長辺および短辺の長さが前記第一の長方形状のシートの長辺および短辺の長さより短い第二の長方形状の切り欠き部を有しても良い。あるいは、前記本体部は、前記信号配線が形成される長方形状の信号配線領域と、前記接地配線が形成される、長辺の長さが前記信号配線の短辺よりも長い長方形状の２つの接地配線領域とを備え、前記信号配線領域の短辺のそれぞれに、前記２つの接地配線領域それぞれの長辺が重なるように配置されていても良い。あるいは、前記本体部は、前記信号配線が形成される長方形状の信号配線領域と、前記接地配線が形成される、長辺の長さが前記信号配線の短辺よりも長い長方形状の接地配線領域とを備え、前記信号配線領域の短辺に、前記接地配線領域の長辺が重なるように配置されていても良い。
【００２２】
上記構成のフレキシブルケーブルは、言い換えると、透明電位膜に向けて延伸する部分（凸部）が備えられている。これにより、透明電位膜との接続がより良好に行える。
【００２３】
例えば、前記接地配線は、網目状の配線であっても良い。
【００２４】
上記構成のフレキシブルケーブルは、接地配線を網目状のケーブルにするので、静電気放電の際の信号配線への影響を低減できる。なお、フレキシブルケーブルがＩＣ（駆動回路）を搭載している場合には、当該ＩＣへの影響を低減できる。
【００２５】
例えば、前記本体部は、さらに、前記液晶パネルを駆動する駆動信号を出力する駆動回路を備えても良い。
【００２６】
上記構成のフレキシブルケーブルは、駆動回路を有するＣＯＦにも適用できる。
【００２７】
上記目的を達成するために、本発明の一態様に係るオープンセルは、偏光板と、ガラス基板と、前記偏光板および前記ガラス基板の間に設けられた透明電位膜とを備える液晶パネルと、前記液晶パネルの駆動に用いられる信号を伝達する信号配線と、前記透明電位膜に接続する接地端子を備える接地配線と、前記信号配線および前記接地配線が形成されるシート状の本体部とを有するフレキシブルケーブルとを備える。
【００２８】
上記構成のオープンセルは、上記構成のフレキシブルケーブルと同様に、透明電位膜を接地するためのガスケットを備える必要がなくなる。
【００２９】
上記目的を達成するために、本発明の一態様に係る表示装置は、偏光板と、ガラス基板と、前記偏光板および前記ガラス基板の間に設けられた透明電位膜とを備える液晶パネルと、前記液晶パネルの駆動に用いられる信号を伝達する信号配線と、前記透明電位膜に接続する接地端子を備える接地配線と、前記信号配線および前記接地配線が形成されるシート状の本体部とを有するフレキシブルケーブルと、前記接地配線と電源回路とを接続する配線を備えるプリント基板と、前記液晶パネルの外枠を構成するベゼルと、前記ベゼルの前記液晶パネル側に取り付けられ、前記フレキシブルケーブルの前記接地配線の端子を前記透明電位膜に押さえるセルクッションとを備える。
【００３０】
上記構成の表示装置は、上記構成のフレキシブルケーブルと同様に、透明電位膜を接地するためのガスケットを備える必要がなくなる。
【発明の効果】
【００３１】
本発明によると、ガスケットを設けることなく、透明電位膜を接地することができるフレキシブルケーブル、オープンセルおよび表示装置を提供することができる。
【図面の簡単な説明】
【００３２】
【図１Ａ】液晶ディスプレイの外観の一例を示す外観図である。
【図１Ｂ】図１Ａに示す液晶ディスプレイの分解した状態を示す図である。
【図２Ａ】オープンセルの構成の一例を示す図である。
【図２Ｂ】図２ＡのＡＡ線における断面を示す断面図である。
【図３Ａ】ＣＯＦの構成の一例を示す図である。
【図３Ｂ】図３Ａに示すＣＯＦを分解した状態を示す図である。
【図４】ＣＯＦを形成するための長尺状シートの一例を示す図である。
【図５】ＣＯＦの構成の一例を示す図である。
【図６】ＣＯＦの構成の一例を示す図である。
【図７】ＣＯＦの構成の一例を示す図である。
【図８】フレキシブルケーブルの構成の他の一例を示す図である。
【図９】オープンセルの構成の一例を示す図である。
【発明を実施するための形態】
【００３３】
以下、本発明の実施の形態について、図面を用いて詳細に説明する。なお、各図は、必ずしも各寸法や各寸法比等を厳密に図示したものではない。
【００３４】
また、以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００３５】
（実施の形態１）
実施の形態１のフレキシブルケーブル、オープンセルおよび表示装置について、図１Ａ〜図５を基に説明する。
【００３６】
本実施の形態では、ガスケットではなく、フレキシブルケーブルを用いて透明電位膜の接地を行う。また、本実施の形態では、表示装置が、液晶ディスプレイである場合について説明する。
【００３７】
［１−１．液晶ディスプレイ１０（表示装置）の構成］
先ず、液晶ディスプレイ１０の構成について、図１Ａおよび図１Ｂを基に簡単に説明する。
【００３８】
図１Ａは、表示装置の一例である液晶ディスプレイ１０の外観の一例を示す外観図である。図１Ｂは、図１Ａに示す液晶ディスプレイ１０の分解した状態を示す図である。
【００３９】
液晶ディスプレイ１０は、図１Ｂに示すように、フロントキャビネット１１、ベゼル１２、オープンセル１３、セルガイド１４、光学シート１５、反射シート１６およびリアフレーム１７を備えている。
【００４０】
なお、光学シート１５は、拡散板等、複数の部材で構成されている。
【００４１】
［１−２．オープンセル１３の構成］
次に、オープンセル１３の構成について、図２Ａおよび図２Ｂを基に説明する。
【００４２】
図２Ａは、オープンセル１３の構成の一例を示す図である。図２Ｂは、図２ＡのＡＡ線における断面を示す断面図である。なお、図２Ａは、液晶ディスプレイ１０のフロントキャビネット１１側から見た図である。
【００４３】
オープンセル１３は、図２Ａに示すように、液晶パネル２０と、ＰＣＢ（プリント基板）３０と、ＣＯＦ４０（図３Ａ、図３Ｂの４０Ａ）、５０とを備えている。
【００４４】
液晶パネル２０は、従来の液晶パネル２０と同様に、第一の偏光板２３、透明電位膜２２、第一のガラス基板２１、液晶層（不図示）、第二のガラス基板（不図示）および第二の偏光板（不図示）等を備えている。
【００４５】
ＰＣＢ３０は、液晶パネル２０のリアフレーム（不図示）側に設けられた制御回路からの信号をＣＯＦ４０のＩＣ４２に伝達する基板である。本実施の形態のＰＣＢ３０は、後述するＣＯＦ４０の接地配線４４ａ（図３Ａ等）を、電源回路（不図示）の接地端子に接続するための構成を備えている。
【００４６】
ＣＯＦ４０は、ＰＣＢ３０と液晶パネル２０とに接続され、ＰＣＢ３０から受け付けた制御信号に応じた駆動信号を液晶パネル２０に出力する。また、本実施の形態のＣＯＦ４０は、透明電位膜２２に接続され、ＰＣＢ３０を介して、透明電位膜２２を接地する。
【００４７】
ＣＯＦ４０は、後で詳述するが、制御信号に応じて液晶パネル２０を駆動する駆動回路の一例であるＩＣ４２と、ＩＣ４２を搭載したフレキシブルケーブル（本体部４１ａ）とを備えている。
【００４８】
図２Ｂに示すように、ＣＯＦ４０の端部は、ベゼル１２に設けられたセルクッション１２１により、透明電位膜２２に押さえられる。セルクッション１２１は、導体のクッションゴムである。ＣＯＦ４０の透明電位膜２２に接触する部分には、後述する接地配線の端子が形成されている。なお、図２Ｂにおいて、透明電位膜２２の厚さは数μであり、非常に薄いため、信号配線４３ａとガラス基板２１との接続は良好に行える。
【００４９】
ＣＯＦ５０は、上述した従来のＣＯＦ５０と同じである。本実施の形態では、ＰＣＢ３０と液晶パネル２０との間の接続にはＣＯＦ４０を用い、その他の回路と液晶パネル２０との間の接続については、ＣＯＦ５０を用いている。
【００５０】
［１−３．ＣＯＦ４０の構成］
ＣＯＦ４０の詳細な構成について、図３Ａおよび図３Ｂを基に説明する。
【００５１】
図３Ａは、ＣＯＦ４０Ａ（図２Ａ、図２ＢのＣＯＦ４０）の構成の一例（完成品の状態）を示す図である。図３Ｂは、ＣＯＦ４０Ａの構成の一例（分解した状態）を示す図である。
【００５２】
ＣＯＦ４０Ａは、図３Ａおよび図３Ｂに示すように、シート状の本体部４１ａと、ＩＣ４２と、信号配線４３ａと、接地配線４４ａと、接地端子４５と、信号端子４６とを備えている。
【００５３】
本体部４１ａは、図３Ｂに示すように、第一シート４１ｘおよび第二シート４１ｙの２枚のシートで構成され、ＩＣ４２、信号配線４３ａ、接地配線４４ａを挟み込んでいる。
【００５４】
第二シート４１ｙには、ＩＣ４２の信号端子４６が接する部分に、開口部４７が設けられている。これにより、ＩＣ４２の信号端子４６が露出し、ＩＣ４２とガラス基板２１と接続することが可能になる。同様に、図示しないが、信号配線４３ａのＰＣＢ側の端子が接する部分に、信号配線４３ａのＰＣＢ側の端子とＰＣＢ３０の端子とを接続するための開口部が設けられている。同様に、接地配線４４ａの接地端子４５が接する部分に、接地配線４４ａの接地端子４５と透明電位膜２２とを接続するための開口部４８が形成されている。同様に、接地配線４４ａのＰＣＢ３０側の端子が接する部分に、接地配線４４ａのＰＣＢ３０側の端子とＰＣＢ３０とを接続するための開口部４９が形成されている。さらに、第二シート４１ｙ上には、信号配線４３ａおよび接地配線４４ａが形成されている。
【００５５】
第一シート４１ｘおよび第二シート４１ｙの外形は同じであり、第一の長方形状のシートであって、長辺および短辺の長さが第一の長方形状のシートの長辺および短辺の長さより短い第二の長方形状の切り欠き部を有する。
【００５６】
より詳細には、第一シート４１ｘおよび第二シート４１ｙ（本体部４１ａ）は、長方形状の信号配線領域Ｒ１ａ（図３Ａの網掛け部分の領域）と、長辺の長さが信号配線領域Ｒ１ａの短辺の長さよりも長い長方形状の２つの接地配線領域Ｒ２ａおよびＲ２ｂ（図３Ａの網掛け部分以外の領域）とを備えている。接地配線領域Ｒ２ａおよびＲ２ｂは、信号配線領域Ｒ１ａを挟み込むように配置されている。図３Ａでは、信号配線領域Ｒ１ａの図面右側の短辺と接地配線領域Ｒ２ａの長辺とが重なるように配置されている。信号配線領域Ｒ１ａの図面左側の短辺と接地配線領域Ｒ２ｂの長辺とが重なるように配置されている。さらに、信号配線領域Ｒ１ａのＰＣＢ３０側の長辺と、接地配線領域Ｒ２ａのＰＣＢ３０側の短辺と、接地配線領域Ｒ２ｂのＰＣＢ３０側の短辺とが、同一線上に配置されている。
【００５７】
つまり、本体部４１ａは、２つの接地配線領域Ｒ２ａおよびＲ２ｂの端部が、信号配線領域Ｒ１ａの端部よりも、透明電位膜２２側に延伸するように形成されている。さらに、信号配線領域Ｒ１ａの端部よりも透明電位膜２２側の部分に、接地端子４５が形成されている。２つの接地配線領域Ｒ２ａおよびＲ２ｂの端部を延伸させる（突出させる）量は、例えば、信号配線領域Ｒ１ａの端部と透明電位膜２２の端部との間の距離、透明電位膜２２の膜厚、および、接地端子４５の大きさの合計よりも大きく設定する。このように構成することで、透明電位膜２２との接続を良好に行える。
【００５８】
ＩＣ４２は、駆動回路の一例であり、ＰＣＢ３０からの制御信号に応じた駆動信号を出力する。
【００５９】
信号配線４３ａは、ＰＣＢ３０とＩＣ４２とを接続して、液晶パネル２０の駆動に用いられる信号（ここでは制御信号）を伝達する配線である。信号配線４３ａは、信号配線領域Ｒ１ａ上に、ＩＣ４２およびＰＣＢ３０の位置を考慮して配置されている。
【００６０】
接地配線４４ａは、透明電位膜２２とＰＣＢ３０とを接続し、透明電位膜２２を接地するための配線である。本実施の形態の接地配線４４ａは、メッシュパターン（格子状の配線パターン）を持つ配線である。接地配線４４ａは、接地端子４５を介して透明電位膜２２に接続される。接地配線４４ａは、図３Ａに示すように、接地配線領域Ｒ２ａおよびＲ２ｂのそれぞれに設けられている。本実施の形態の接地配線４４ａは、メッシュパターンを持たせることで、ＩＣ４２への静電気放電の影響を抑えることが可能になると考えられる。
【００６１】
［１−４．ＣＯＦ４０Ａの接地配線４４ａの形成方法］
上述したように、本実施の形態のＣＯＦ４０Ａは、ＣＯＦ５０と比較して、接地配線４４ａ（接地配線領域Ｒ２ａおよびＲ２ｂ）が追加される構成となっている。
【００６２】
本実施の形態では、接地配線領域Ｒ２ａおよびＲ２ｂを、通常のＣＯＦ５０の製造工程では廃棄される領域であるスプロケット領域Ｒ２を利用して形成することにより、製造コストの増大を低減する。
【００６３】
図４は、ＣＯＦ４０Ａを形成するための長尺状シート１１０の一例を示す図である。なお、図４では、説明のため、信号配線４３ａおよびＩＣ４２等、ＣＯＦ４０Ａの一部の構成を省略して記載している。
【００６４】
一般的に、ＣＯＦ４０Ａは、スプロケットホール１１１が形成されている長尺状シート１１０を用いて作製される。長尺状シート１１０には、図４に示すように、複数のＣＯＦ４０Ａの信号配線４３ａ、接地配線４４ａおよびＩＣ４２等の部品が搭載される。長尺状シート１１０を実線部分で切り出すことにより、ＣＯＦ４０Ａが形成される。
【００６５】
より詳細には、長尺状シート１１０は、ＩＣ４２および信号配線４３ａ等が配置される信号配線領域Ｒ１（図４の網掛け部分の領域）と、スプロケットホール１１１が形成されているスプロケット領域Ｒ２（図４の網掛け部分以外の領域）とで構成されている。接地配線４４ａは、本実施の形態では、スプロケット領域Ｒ２に配置されており、実線部分で切り出すことで、ＣＯＦ４０Ａを作製できる。
【００６６】
このように構成することで、接地配線４４ａを形成するための特別な領域を持つ必要がなくなる。すなわち、従来のＣＯＦ５０の製造に用いていた長尺状シートを、そのまま本実施の形態のＣＯＦ４０Ａの製造に用いることが可能である。
【００６７】
［１−５．まとめ等］
上述したように、本実施の形態の表示装置およびオープンセルでは、接地配線４４ａを備えたＣＯＦ４０Ａを用いることにより、透明電位膜２２に対し、ＰＣＢ３０を介して電源回路の接地電圧を印加できる。これにより、図９に示すガスケット２４を設ける必要がなくなる。また、ガスケット２４をなくすことで、ガスケット２４の位置決め等、製造工程の削減を図ることが可能である。なお、ＣＯＦ４０Ａの接地端子４５は、ベゼル１２に設けられたセルクッション１２１により、透明電位膜２２に接続できる。
【００６８】
また、本実施の形態で説明したように、接地配線４４ａを、スプロケット領域Ｒ２を利用して形成すれば、部品にかかる製造コストの増大を抑えることができる。
【００６９】
（実施の形態２）
実施の形態２のフレキシブルケーブル、オープンセルおよび表示装置（液晶ディスプレイ）について、図５を基に説明する。
【００７０】
なお、本実施の形態では、実施の形態１とは、ＣＯＦの本体部の形状が異なる場合について説明する。液晶ディスプレイ１０およびオープンセル１３は、ＣＯＦの形状を除き、実施の形態１と同じ構成である。
【００７１】
［２−１．ＣＯＦ４０Ｂの構成］
以下、本実施の形態のＣＯＦ４０Ｂの詳細な構成について、図５を基に説明する。図５は、ＣＯＦ４０Ｂの構成の一例を示す図である。
【００７２】
ＣＯＦ４０Ｂは、図５に示すように、シート状の本体部４１ｂと、ＩＣ４２と、信号配線４３ａと、接地配線４４ａと、接地端子４５と、信号端子４６とを備えている。ＩＣ４２、信号配線４３ａ、接地配線４４ａ、接地端子４５および信号端子４６の構成は、実施の形態１と同じである。
【００７３】
本体部４１ｂは、本実施の形態では、切り欠き部を備えない長方形状のシートで構成されている。本体部４１ｂは、より詳細には、中央部分に長方形状の信号配線領域Ｒ１ｂ（図３Ａの網掛け部分の領域）が設定され、本体部４１ｂの短辺に接する２つの端部のそれぞれに、２つの接地配線領域Ｒ２ａおよびＲ２ｂ（図３Ａの網掛け部分以外の領域）が設定されている。
【００７４】
［２−２．まとめ等］
本実施の形態の表示装置およびオープンセルは、実施の形態１と同様に、接地配線４４ａを備えたＣＯＦ４０Ｂを用いることにより、透明電位膜２２に対し、ＰＣＢ３０を介して電源回路の接地電圧を印加できる。これにより、図９に示すガスケット２４を設ける必要がなくなる。また、ガスケット２４をなくすことで、ガスケット２４の位置決め等、製造工程の削減を図ることが可能である。なお、ＣＯＦ４０Ｂの接地端子４５は、実施の形態１と同様に、ベゼル１２に設けられたセルクッション１２１により、透明電位膜２２に接続できる。
【００７５】
また、実施の形態１と同様に、接地配線４４ａを、スプロケット領域Ｒ２を利用して形成すれば、部品にかかる製造コストの増大を抑えることができる。
【００７６】
（実施の形態３）
実施の形態３のフレキシブルケーブル、オープンセルおよび表示装置（液晶ディスプレイ）について、図６を基に説明する。
【００７７】
なお、本実施の形態では、実施の形態１とは、接地配線の構成が異なる場合について説明する。液晶ディスプレイ１０およびオープンセル１３は、ＣＯＦの形状を除き、実施の形態１と同じ構成である。
【００７８】
［３−１．ＣＯＦ４０Ｃの構成］
以下、本実施の形態のＣＯＦ４０Ｃの詳細な構成について、図６を基に説明する。図６は、ＣＯＦ４０Ｃの構成の一例を示す図である。
【００７９】
ＣＯＦ４０Ｃは、図６に示すように、シート状の本体部４１ａと、ＩＣ４２と、信号配線４３ａと、接地配線４４ｂと、接地端子４５と、信号端子４６とを備えている。本体部４１ａ、ＩＣ４２、信号配線４３ａ、接地端子４５および信号端子４６の構成は、実施の形態１と同じである。
【００８０】
接地配線４４ｂは、本実施の形態では、メッシュパターンではなく、ベタパターンを持つ。ＩＣ４２までの距離がある程度確保できる場合、あるいは、静電気放電によるＩＣ４２への影響が小さい場合には、ベタパターンを持つ配線パターンを利用してもよい。
【００８１】
［３−２．まとめ等］
本実施の形態の表示装置およびオープンセルは、実施の形態１と同様に、接地配線４４ｂを備えたＣＯＦ４０Ｃを用いることにより、透明電位膜２２に対し、ＰＣＢ３０を介して電源回路の接地電圧を印加できる。これにより、図９に示すガスケット２４を設ける必要がなくなる。また、ガスケット２４をなくすことで、ガスケット２４の位置決め等、製造工程の削減を図ることが可能である。なお、ＣＯＦ４０Ｃの接地端子４５は、実施の形態１と同様に、ベゼル１２に設けられたセルクッション１２１により、透明電位膜２２に接続できる。
【００８２】
また、実施の形態１と同様に、接地配線４４ｂを、スプロケット領域Ｒ２を利用して形成すれば、部品にかかる製造コストの増大を抑えることができる。
【００８３】
（実施の形態４）
実施の形態４のフレキシブルケーブル、オープンセルおよび表示装置（液晶ディスプレイ）について、図７を基に説明する。
【００８４】
なお、本実施の形態では、実施の形態１とは、接地配線の構成が異なる場合について説明する。液晶ディスプレイ１０およびオープンセル１３は、ＣＯＦの形状を除き、実施の形態１と同じ構成である。
【００８５】
［４−１．ＣＯＦ４０Ｄの構成］
以下、本実施の形態のＣＯＦ４０Ｄの詳細な構成について、図７を基に説明する。図７は、ＣＯＦ４０Ｄの構成の一例を示す図である。
【００８６】
ＣＯＦ４０Ｄは、図７に示すように、シート状の本体部４１ｂと、ＩＣ４２と、信号配線４３ａと、接地配線４４ａと、接地端子４５と、信号端子４６とを備えている。ＩＣ４２、信号配線４３ａ、接地配線４４ａ、接地端子４５および信号端子４６の構成は、実施の形態１と同じである。
【００８７】
本体部４１ｃは、本実施の形態では、１つの長方形状の信号配線領域Ｒ１ａ（図７の網掛け部分の領域）と、接地配線領域Ｒ２ｃ（図７の網掛け部分以外の領域）が設定されている。すなわち、本実施の形態の本体部４１ｃは、実施の形態１の２つの接地配線領域Ｒ２ａおよびＲ２ｂの一方のみを備えている。なお、図７では、接地配線領域Ｒ２ａ（接地配線領域Ｒ２ｃ）のみを備える場合を示しているが、接地配線領域Ｒ２ｂのみを備えていてもよい。
【００８８】
［４−２．まとめ等］
本実施の形態の表示装置およびオープンセルは、実施の形態１と同様に、接地配線４４ａを備えたＣＯＦ４０Ｄを用いることにより、透明電位膜２２に対し、ＰＣＢ３０を介して電源回路の接地電圧を印加できる。これにより、図９に示すガスケット２４を設ける必要がなくなる。また、ガスケット２４をなくすことで、ガスケット２４の位置決め等、製造工程の削減を図ることが可能である。なお、ＣＯＦ４０Ｄの接地端子４５は、実施の形態１と同様に、ベゼル１２に設けられたセルクッション１２１により、透明電位膜２２に接続できる。
【００８９】
また、実施の形態１と同様に、接地配線４４ａを、スプロケット領域Ｒ２を利用して形成すれば、部品にかかる製造コストの増大を抑えることができる。
【００９０】
（別実施の形態等）
以上、本発明の実施の形態に係る表示装置、オープンセルについて説明したが、本発明は、この実施の形態に限定されるものではない。
【００９１】
（１）上記実施の形態１〜４では、液晶パネル２０とＰＣＢ３０との接続に、ＩＣ４２を備えるＣＯＦ４０Ａを用いたが、ＩＣ４２は必須構成ではない。例えば、ＰＣＢ３０等が駆動回路を備える場合には、図８に示すように、液晶パネル２０とＰＣＢ３０との接続に、ＩＣ４２を備えないフレキシブルケーブル４０Ｅを用いてもよい。なお、フレキシブルケーブル４０Ｅは、ＩＣ４２を備えず、信号配線４３ｂが信号端子４６に直接接続されている点を除き、ＣＯＦ４０Ａと同じ構成である。
【００９２】
同様に、ＣＯＦ４０Ｂ〜４０Ｃについても、ＩＣ４２を備えない構成（フレキシブルケーブル）としてもよい。
【００９３】
（２）また、表示装置およびオープンセルにおいて、上記実施の形態１〜４の任意のＣＯＦ、および、フレキシブルケーブルを組み合わせて用いてもよい。
【産業上の利用可能性】
【００９４】
本発明のフレキシブルケーブルおよびＣＯＦは、表示装置、例えば、液晶ディスプレイ等、接地電圧を供給する必要のあるパネルを備える表示装置およびオープンセルに適用できる。
【００９５】
また、本発明のオープンセルは、液晶ディスプレイ等の表示装置に適用できる。さらに、本発明の表示装置は、液晶ディスプレイ、特に、ＩＰＳ方式の液晶ディスプレイに適用できる。
【符号の説明】
【００９６】
１０、１０００  液晶ディスプレイ
１１  フロントキャビネット
１２  ベゼル
１３  オープンセル
１４  セルガイド
１５  光学シート
１６  反射シート
１７  リアフレーム
２０  液晶パネル
２１  ガラス基板
２２  透明電位膜
２３  偏光板
２４  ガスケット
３０、６０  ＰＣＢ
４０、４０Ａ、４０Ｂ、４０Ｃ、４０Ｄ、５０  ＣＯＦ
４０Ｅ、５１  フレキシブルケーブル
４１ａ、４１ｂ、４１ｃ  本体部
４１ｘ  第一シート
４１ｙ  第二シート
４２、５２  ＩＣ
４３ａ、４３ｂ  信号配線
４４ａ、４４ｂ  接地配線
４５  接地端子
４６  信号端子
４７、４８、４９  開口部
１１０  長尺状シート
１１１  スプロケットホール
１２１  セルクッション
Ｒ１、Ｒ１ａ、Ｒ１ｂ  信号配線領域
Ｒ２  スプロケット領域
Ｒ２ａ、Ｒ２ｂ、Ｒ２ｃ  接地配線領域
【図１Ａ】
2014206604.tif 000003
【図１Ｂ】
2014206604.tif 000004
【図２Ａ】
2014206604.tif 000005
【図２Ｂ】
2014206604.tif 000006
【図３Ａ】
2014206604.tif 000007
【図３Ｂ】
2014206604.tif 000008
【図４】
2014206604.tif 000009
【図５】
2014206604.tif 000010
【図６】
2014206604.tif 000011
【図７】
2014206604.tif 000012
【図８】
2014206604.tif 000013
【図９】
2014206604.tif 000014